(57)【特許請求の範囲】
【請求項１】
被処理水を貯める処理水槽と、
該処理水槽内の該被処理水中に、ナノバブルまたはマイクロナノバブルを発生させるバブル発生手段と、
該処理水槽に流入する該被処理水の水質を測定する処理前測定手段と、
該処理水槽から流出する該被処理水の水質を測定する処理後測定手段とを備えており、
該バブル発生手段は、複数のバブル発生機を備えており、かつ、該処理前測定手段が測定した水質と、該処理後測定手段が測定した水質とに基づいて、該複数のバブル発生機のそれぞれを稼働または停止させるようになっており、
任意の該バブル発生機が発生させるバブルのサイズが、他の該バブル発生機の少なくとも１つが発生させるバブルのサイズと異なることを特徴とする水処理装置。
【請求項２】
上記バブル発生手段は、上記処理前測定手段が測定した水質と、上記処理後測定手段が測定した水質との差が小さくなるに従い、より発生させるバブルのサイズが小さい上記バブル発生機を稼動させるようになっていることを特徴とする請求項１に記載の水処理装置。
【請求項３】
上記複数のバブル発生機が、水中ポンプ型マイクロナノバブル発生機、マイクロナノバブル発生機、およびナノバブル発生機を含んでいることを特徴とする請求項１または２に記載の水処理装置。
【請求項４】
上記マイクロナノバブル発生機が、上記被処理水を吸い込んで吐出するポンプと、該ポンプから吐出された該被処理水と気体とを混合するとともに該気体をせん断する気体せん断部とを備えていることを特徴とする請求項３に記載の水処理装置。
【請求項５】
上記マイクロナノバブル発生機が、上記被処理水を通過させ、かつ、通過する該被処理水に紫外線を照射する紫外線反応部をさらに備えており、上記ポンプと上記気体せん断部とが該紫外線反応部を介して接続されていることを特徴とする請求項４に記載の水処理装置。
【請求項６】
上記ナノバブル発生機が、上記被処理水を吸い込んで吐出するポンプと、該ポンプから吐出された該被処理水と気体とを混合するとともに該気体をせん断する第１気体せん断部と、該第１気体せん断部において処理された該被処理水中の該気体をさらにせん断する第２気体せん断部と、該第２気体せん断部において処理された該被処理水中の該気体をさらにせん断する第３気体せん断部とを備えていることを特徴とする請求項３〜５のいずれか一項に記載の水処理装置。
【請求項７】
上記ナノバブル発生機が、上記被処理水を通過させ、かつ、通過する該被処理水を磁気活水する磁気活水部をさらに備えており、上記第２気体せん断部と上記第３気体せん断部とが該磁気活水部を介して接続されていることを特徴とする請求項６に記載の水処理装置。
【請求項８】
上記ナノバブル発生機が、上記被処理水を通過させ、かつ、通過する該被処理水を磁気活水する磁気活水部をさらに備えており、上記ポンプと上記第２気体せん断部とが該磁気活水部を介して接続されていることを特徴とする請求項６に記載の水処理装置。
【請求項９】
上記ナノバブル発生機が、上記磁気活水部に流入する上記被処理水の流速を調節する出
口径交換ユニットをさらに備えていることを特徴とする請求項７または８に記載の水処理装置。
【請求項１０】
上記ナノバブル発生機が、オゾンを発生させるオゾン発生機をさらに備えており、上記第１気体せん断部が、上記被処理水と、該オゾンとを混合することを特徴とする請求項６〜９のいずれか一項に記載の水処理装置。
【請求項１１】
上記第１気体せん断部に供給される上記気体が、毎分０．６リットル以上毎分１．２リットル以下であることを特徴とする請求項６〜１０のいずれか一項に記載の水処理装置。
【請求項１２】
上記第１気体せん断部が、断面が楕円形または真円形であり、かつ、内部に複数の溝が設けられている筒を備えていることを特徴とする請求項６〜１１のいずれか一項に記載の水処理装置。
【請求項１３】
上記溝の深さが、０．３ｍｍ以上０．６ｍｍ以下であり、該溝の幅が０．３ｍｍ以上０．８ｍｍ以下であることを特徴とする請求項１２に記載の水処理装置。
【請求項１４】
上記ポンプが、上記被処理水を吸い込むための吸い込み配管、および該被処理水を吐出するための吐出配管を備えており、該吸い込み配管の口径が、該吐出配管の口径よりも大きいことを特徴とする請求項６〜１３のいずれか一項に記載の水処理装置。
【請求項１５】
上記ポンプの出力が最大値となった後に、上記気体が第１気体せん断部に供給されるようになっていることを特徴とする請求項６〜１４のいずれか一項に記載の水処理装置。
【請求項１６】
上記ポンプの稼働開始から少なくとも６０秒経過した後に、上記気体が第１気体せん断部に供給されるようになっていることを特徴とする請求項６〜１４のいずれか一項に記載の水処理装置。
【請求項１７】
上記第１気体せん断部は、内部で上記被処理水が旋回するようになっており、該旋回の中心軸に対して１７度以上１９度以下の入射角で上記気体を供給する気体流入管を備えていることを特徴とする請求項６〜１６のいずれか一項に記載の水処理装置。
【請求項１８】
上記第１気体せん断部の主要部分が、６ｍｍ以上１２ｍｍ以下の厚さを有していることを特徴とする請求項６〜１７のいずれか一項に記載の水処理装置。
【請求項１９】
上記ナノバブル発生機が、上記被処理水を通過させ、かつ、通過する該被処理水に紫外線を照射する紫外線反応部をさらに備えており、上記第２気体せん断部と上記第３気体せん断部とが該紫外線反応部を介して接続されていることを特徴とする請求項６〜１８のいずれか一項に記載の水処理装置。
【請求項２０】
上記水中ポンプ型マイクロナノバブル発生機が、該水中ポンプ型マイクロナノバブル発生機に気体を供給する配管と、該配管を通過する気体に紫外線を照射する紫外線反応部とを備えていることを特徴とする請求項３〜１９のいずれか一項に記載の水処理装置。
【請求項２１】
上記処理前測定手段が、少なくとも、上記被処理水の全有機炭素を測定することを特徴とする請求項１〜２０のいずれか一項に記載の水処理装置。
【請求項２２】
上記処理前測定手段が、少なくとも、上記被処理水の化学的酸素要求量を測定することを特徴とする請求項１〜２１のいずれか一項に記載の水処理装置。
【請求項２３】
上記処理前測定手段が、少なくとも、上記被処理水のｐＨを測定することを特徴とする請求項１〜２２のいずれか一項に記載の水処理装置。
【請求項２４】
上記処理前測定手段が、少なくとも、上記被処理水の酸化還元電位を測定することを特徴とする請求項１〜２３のいずれか一項に記載の水処理装置。
【請求項２５】
ポリビニルアルコール担体をさらに備えており、該ポリビニルアルコール担体は、上記処理水槽内に充填され、該処理水槽内を流動するようになっていることを特徴とする請求項１〜２４のいずれか一項に記載の水処理装置。
【請求項２６】
活性炭をさらに備えており、該活性炭は、上記処理水槽内に充填され、該処理水槽内を流動するようになっていることを特徴とする請求項１〜２５のいずれか一項に記載の水処理装置。
【請求項２７】
上記処理水槽内に充填されている炭酸カルシウム鉱物をさらに備えていることを特徴とする請求項１〜２６のいずれか一項に記載の水処理装置。
【請求項２８】
ポリ塩化ビニリデン充填物と、該ポリ塩化ビニリデン充填物を上記処理水槽内に固定する固定金具とをさらに備えていることを特徴とする請求項１〜２７のいずれか一項に記載の水処理装置。
【請求項２９】
請求項１〜２８のいずれか一項に記載の水処理装置を用いることを特徴とする上水の処理方法。
【請求項３０】
請求項１〜２８のいずれか一項に記載の水処理装置を用いることを特徴とする排水の処理方法。
【請求項３１】
請求項１〜２８のいずれか一項に記載の水処理装置を用いることを特徴とする有機フッ素化合物含有排水の処理方法。
【請求項３２】
請求項１〜２８のいずれか一項に記載の水処理装置を用いることを特徴とする再利用水の処理方法。
【請求項３３】
請求項１〜２８のいずれか一項に記載の水処理装置を用いることを特徴とする浴槽水の処理方法。
【請求項３４】
請求項１〜２８のいずれか一項に記載の水処理装置を用いることを特徴とする治療用浴槽水の処理方法。
【請求項３５】
請求項１〜２８のいずれか一項に記載の水処理装置を用いることを特徴とする水産養殖水の処理方法。
【請求項３６】
請求項１〜２８のいずれか一項に記載の水処理装置を用いることを特徴とする水耕液の処理方法。
【請求項３７】
請求項１〜２８のいずれか一項に記載の水処理装置を用いることを特徴とするエステティック用水の処理方法。
【請求項３８】
請求項１〜２８のいずれか一項に記載の水処理装置を用いることを特徴とする石油の精製方法。
【請求項３９】
請求項１〜２８のいずれか一項に記載の水処理装置を用いることを特徴とするガソリンの処理方法。
【請求項４０】
請求項１〜２８のいずれか一項に記載の水処理装置を用いることを特徴とする床ずれの治療用水の処理方法。
【請求項４１】
請求項１〜２８のいずれか一項に記載の水処理装置を用いることを特徴とするアトピー疾患の治療用水の処理方法。
【請求項４２】
複数のバブル発生機を備えた処理水槽に被処理水を貯める工程と、
該処理水槽に流入する該被処理水の水質を測定する処理前測定工程と、
該処理水槽から流出する該被処理水の水質を測定する処理後測定工程と、
該処理前測定工程において測定した該水質、および該処理後測定工程において測定した該水質に基づいて、該複数のバブル発生機から動作すべきバブル発生機を選択する選択工程と、
該選択工程において選択された該バブル発生機を用いて、該処理水槽内の該被処理水中にナノバブルまたはマイクロナノバブルを発生させるバブル発生工程とを包含しており、
該バブル発生工程では、任意の該バブル発生機が発生させるバブルのサイズが、他の該バブル発生機の少なくとも１つが発生させるバブルのサイズと異なることを特徴とする水処理方法。
【発明の詳細な説明】
【技術分野】
【０００１】
本発明は水処理技術に関するものであり、特に、ナノバブルまたはマイクロナノバブルを用いた水処理技術に関するものである。
【背景技術】
【０００２】
従来から、液体から有機物などの物質を除去する技術が、様々な分野で用いられている。例えば、廃液処理においては、廃水中の様々な物質を除去するために、微生物の物質分解能力を利用した技術が用いられている。
【０００３】
例えば、従来から、微生物固定化ゲル担体を用いる廃水処理装置が用いられている（例えば、特許文献１参照）。当該廃水処理装置は、浸漬膜濾過方式を採用した汚泥分離設備と、沈殿槽方式を採用した汚泥分離設備とを併用している。なお、当該廃水処理装置では、上記微生物固定化ゲル担体として、例えばポリビニルアルコール系含水ゲルが用いられている。
【０００４】
また、従来から、異なる機能を有する複数の槽を用いる廃水処理方法が用いられている（例えば、特許文献２参照）。当該廃水処理方法では、担体が流動している曝気槽、第１の活性汚泥槽、第２の活性汚泥槽、沈殿槽の順番で、廃水が様々な処理を受けている。なお、当該廃水処理方法では、上記担体として、例えばポリビニルアルコール架橋ゲル担体が用いられている。
【０００５】
また、従来から、微生物が固定化された担体が投入された廃水処理槽、および当該廃水処理槽から流出する処理水を濾過する膜モジュールを用いる廃水処理装置が用いられている（例えば、特許文献３参照）。なお、当該廃水処理装置では、上記担体としてポリビニルアルコール系含水ゲルが用いられている。
【０００６】
一方、従来から、小さな直径を有する気泡（バブル）には様々な作用があることが知られており、現在、このような気泡を様々な分野に利用する試みがなされている。
【０００７】
上記気泡は、その直径に応じて、マイクロバブル、マイクロナノバブルおよびナノバブルに分類することができる。具体的には、マイクロバブルは、その発生時において１０μｍ〜数十μｍの直径を有する気泡であり、マイクロナノバブルは、その発生時において数百ｎｍ〜１０μｍの直径を有する気泡であり、ナノバブルは、その発生時において数百ｎｍ以下の直径を有する気泡である。なお、マイクロバブルは、発生後の収縮運動によって、その一部がマイクロナノバブルに変化することがある。また、マイクロバブルの一部は水中にて収縮して、最後には消滅してしまうマイクロバブルもある。一方、ナノバブルは、長期に渡って液体中に存在することができるという性質を有している。
【０００８】
例えば、従来から、様々なナノバブルの利用方法、およびナノバブルを利用した各種装置が知られている（例えば、特許文献４参照）。より具体的には、特許文献４には、ナノバブルが、浮力の減少、表面積の増加、表面活性の増大、局所高圧場の生成、または静電分極の実現によって、界面活性作用および殺菌作用を示すことが記載されている。更に、特許文献４には、ナノバブルが有する界面活性作用および殺菌作用を用いて、各種対象を洗浄する技術および汚濁水を浄化する技術が記載されている。更に、特許文献４には、ナノバブルを用いて生体の疲労を回復する方法が記載されている。なお、特許文献４では、水を電気分解するとともに、当該水に超音波振動を加えることによって、ナノバブルを作製している。
【０００９】
また、従来から、液体を原料としてナノバブルを作製する方法が知られている（例えば、特許文献５参照）。上記作製方法は、液体中において、１）上記液体の一部を分解ガス化する工程、２）上記液体に超音波を印加する工程、または３）上記液体の一部を分解ガス化する工程および上記液体に超音波を印加する工程、からなるものである。なお、液体の一部を分解ガス化する工程として、電気分解法または光分解法を用いることができることが記載されている。
【００１０】
また、従来から、オゾンガスからなるマイクロバブル（オゾンマイクロバブル）を利用する廃液処理装置が用いられている（例えば、特許文献６参照）。上記廃液処理装置では、オゾン発生装置によって作製されたオゾンガスと廃液とを、加圧ポンプを用いて混合することによって、オゾンガスからなるマイクロバブルを作製している。そして、当該マイクロバブルが廃液中の有機物と反応することによって、廃液中の有機物が酸化分解される。なお、マイクロバブルを利用した洗浄装置も従来から用いられており、当該装置は、機械油等が付着した金属の洗浄、牡蠣の洗浄、または入浴時における人体の洗浄等に利用されている。
【００１１】
排水処理設備として、生物学的処理設備としての各種微生物槽、その後の最終的設備として、物理学的処理設備としての活性炭吸着塔が存在している。
【００１２】
また、用水処理設備としての生物学的処理設備としての各種微生物槽、その後の最終的設備として、物理学的処理設備としての活性炭吸着塔が存在している。
それら活性炭吸着塔は、有機物を吸着後、活性炭塔から活性炭を取り出し、別の場所で再生している。
【特許文献１】特開２００７−１８５５９８号公報（平成１９年７月２６日公開）
【特許文献２】特開２００１−１４５８９４号公報（平成１３年５月２９日公開）
【特許文献３】特開平１１−４２４９７号公報（平成１１年２月１６日公開）
【特許文献４】特開２００４−１２１９６２号公報（平成１６年４月２２日公開）
【特許文献５】特開２００３−３３４５４８号公報（平成１５年１１月２５日公開）
【特許文献６】特開２００４−３２１９５９号公報（平成１６年１１月１８日公開）
【発明の開示】
【発明が解決しようとする課題】
【００１３】
しかしながら、ナノバブルまたはマイクロナノバブルを作製するためには所定のエネルギーが必要であり、大量の被処理水を処理するためには、多大なエネルギーが必要となる。そのため、消費するエネルギー量が小さい水処理技術が求められていた。
【００１４】
本発明は、上記課題に鑑みてなされたものであり、消費するエネルギー量が小さい水処理技術を提供することを主たる目的とする。
【課題を解決するための手段】
【００１５】
本発明者らは、鋭意検討の結果、（１）水処理において、水の水質に合わせて、３種類のバブル発生機（水中ポンプ型マイクロナノバブル発生機、マイクロナノバブル発生機、ナノバブル発生機）の運転を選択的に行うことが省エネの観点から効率的であること、（２）排水における流入水は、常に水質変動があるが、水質変動に合わせたバブル発生機（水中ポンプ型マイクロナノバブル発生機、マイクロナノバブル発生機、ナノバブル発生機）の運転を処理前水質と処理後水質を測定し、その測定値に基づいて運転することが効率的であること、（３）３種類のバブル発生機の運転をＴＯＣ（全有機炭素）、ＣＯＤ（化学的酸素要求量）ｐＨ、酸化還元電位の内、１つを選択し、かつ、処理前水質と処理後水質を測定し、その測定値に基づいて運転することが効率的であること、（４）磁気活水オゾンナノバブルは、ナノバブルよりもマイナス電荷の値が大きく、また紫外線オゾンマイクロナノバブルは、マイクロバブルよりもマイナス電荷の値が大きく、強い酸化力を有すること、（５）バブル発生装置を水質計が設置された液体処理前測定槽、バブル発生機が設置された液体処理水槽、水質計が設置された液体処理後測定槽から構成して、バブル発生機の運転台数を制御することが効率的であること、および（６）磁気活水オゾンナノバブルや紫外線オゾンマイクロナノバブルは、ナノバブルやマイクロバブル以上の強い酸化力を有することから難分解性有機フッ素化合物を酸化分解するのに、有効であることを見出し、本発明を完成させた。
【００１６】
すなわち、本発明に係る水処理装置は、被処理水を貯める処理水槽と、該処理水槽内の該被処理水中に、ナノバブルまたはマイクロナノバブルを発生させるバブル発生手段と、該処理水槽に流入する該被処理水の水質を測定する処理前測定手段と、該処理水槽から流出する該被処理水の水質を測定する処理後測定手段とを備えており、該バブル発生手段は、複数のバブル発生機を備えており、かつ、該処理前測定手段が測定した水質と、該処理後測定手段が測定した水質とに基づいて、該複数のバブル発生機のそれぞれを稼働または停止させるようになっており、任意の該バブル発生機が発生させるバブルのサイズが、他の該バブル発生機の少なくとも１つが発生させるバブルのサイズと異なることを特徴としている。
【００１７】
上記の構成によれば、上記処理水槽に流入する上記被処理水の水質と、該処理水槽から流出する該被処理水の水質とを測定することができるので、例えば、該処理水槽における水処理の前と後とでの水質の差によって、上記複数のバブル発生機のいずれを稼働させ、いずれを停止させるかを決定し、適切な酸化力を有するナノバブルまたはマイクロナノバブルを該処理水槽内に貯められた被処理水に対して導入することができる。
【００１８】
さらに、上記の構成によれば、上記バブル発生手段が、少なくとも、特定のサイズのバブルを発生させるバブル発生機と、該特定のサイズとは異なるサイズのバブルを発生させるバブル発生機を備えているため、例えば、一方に換えて他方を稼働させることにより、上記被処理水中に導入されるバブルのサイズを変化させることができる。ここで、バブルのサイズが小さいほど、該バブルが有する酸化力が強いため、上記被処理水中に導入するバブルのサイズを小さくすることで、該被処理水をより強力に処理することができる。これにより、例えば、上記の差が小さいときは、浄化困難な被処理水であると判断して、より小さいサイズのバブルを発生する上記バブル発生機を稼動させ、上記の差が大きいときは、浄化容易な被処理水であると判断して、より大きいサイズのバブルを発生する上記バブル発生機を稼動させることにより、合理的かつエネルギー消費量の少ない水処理装置とすることができる。
【００１９】
本発明に係る水処理装置では、上記複数のバブル発生機が、水中ポンプ型マイクロナノバブル発生機、マイクロナノバブル発生機、およびナノバブル発生機を含んでいることが好ましい。
【００２０】
水中ポンプ型マイクロナノバブル発生機、マイクロナノバブル発生機、およびナノバブル発生機は、それぞれ発生するバブルのサイズが異なり、それゆえ、上記被処理水に対する酸化力も異なる。従って、本発明に係る水処理装置に好適に用いることができる。すなわち、それぞれの発生機によって、性質の異なるバブルを発生できる。そして、３種類の発生機であるから、目的に応じて、選択使用するこができる。
【００２１】
本発明に係る水処理装置では、上記マイクロナノバブル発生機が、上記被処理水を吸い込んで吐出するポンプと、該ポンプから吐出された該被処理水と気体とを混合するとともに該気体をせん断する気体せん断部とを備えていてもよい。
【００２２】
上記の構成によれば、上記マイクロナノバブル発生機は、マイクロナノバブルを好適に発生させることができる。
【００２３】
本発明に係る水処理装置では、上記マイクロナノバブル発生機が、上記被処理水を通過させ、かつ、通過する該被処理水に紫外線を照射する紫外線反応部をさらに備えており、上記ポンプと上記気体せん断部とが該紫外線反応部を介して接続されていてもよい。
【００２４】
上記の構成によれば、マイクロナノバブル発生機を構成するポンプと気体せん断部とを連結する配管途中に紫外線反応部を設置しているので、マイクロナノバブルが紫外線処理されたマイクロナノバブルとなり、相乗効果を期待できる。
【００２５】
本発明に係る水処理装置では、上記ナノバブル発生機が、上記被処理水を吸い込んで吐出するポンプと、該ポンプから吐出された該被処理水と気体とを混合するとともに該気体をせん断する第１気体せん断部と、該第１気体せん断部において処理された該被処理水中の該気体をさらにせん断する第２気体せん断部と、該第２気体せん断部において処理された該被処理水中の該気体をさらにせん断する第３気体せん断部とを備えていてもよい。
【００２６】
上記の構成によれば、上記ナノバブル発生機は、ナノバブルを好適に発生させることができる。
【００２７】
本発明に係る水処理装置では、上記ナノバブル発生機が、上記被処理水を通過させ、かつ、通過する該被処理水に磁力線を放射する磁気活水部をさらに備えており、上記第２気体せん断部と上記第３気体せん断部とが該磁気活水部を介して接続されていてもよく、上記ポンプと該第２気体せん断部とが該磁気活水部を介して接続されていてもよい。
【００２８】
上記の構成によれば、ナノバブル発生機の構成において、磁気活水器を構成部品としているので、ナノバブルと磁気活水器から発生する磁力線による磁力活水ナノバブルを製造することができる。
【００２９】
本発明に係る水処理装置では、上記ナノバブル発生機が、上記磁気活水部に流入する上記被処理水の流速を調節する出口径交換ユニットをさらに備えていることが好ましい。
【００３０】
上記の構成によれば、吐出口径交換ユニットが、磁気活水部の前段に設置されていることにより、如何なる比重の異なる液体に対しても、適宜吐出口径サイズを調整して、磁気活水部での流速を、磁力線の影響を上記被処理水が最も受けな流速に調整することができるとともに、流れを乱流ではなく、相流として、磁力線が均等に作用するようにすることができる。
【００３１】
本発明に係る水処理装置では、上記ナノバブル発生機が、オゾンを発生させるオゾン発生機をさらに備えており、上記第１気体せん断部が、上記被処理水と、該オゾンとを混合することが好ましい。
【００３２】
上記の構成によれば、ナノバブルよりも酸化力があるオゾンナノバブル、またさらにオゾンナノバブルよりも酸化力がある磁気活水オゾンナノバブルを発生することができると同時に、上記被処理水を強力に処理することができる。
【００３３】
本発明に係る水処理装置では、上記第１気体せん断部に供給される上記気体が、毎分０．６リットル以上毎分１．２リットル以下であることが好ましい。
【００３４】
上記の構成によれば、上記第１気体せん断部に供給される上記気体量が抑えられるため、マイクロバブルではなく、ナノバブルを効率よく製造することができる。
【００３５】
本発明に係る水処理装置では、上記第１気体せん断部が、断面が楕円形または真円形であり、かつ、内部に複数の溝が設けられている筒を備えていることが好ましい。また、上記溝の深さは、０．３ｍｍ以上０．６ｍｍ以下であり、該溝の幅は、０．３ｍｍ以上０．８ｍｍ以下であることが好ましい。
【００３６】
上記の構成によれば、旋回乱流を制御することができ、効率よくバブルを安定的に製造することができる。
【００３７】
本発明に係る水処理装置では、上記ポンプが、上記被処理水を吸い込むための吸い込み配管、および該被処理水を吐出するための吐出配管を備えており、該吸い込み配管の口径が、該吐出配管の口径よりも大きいことが好ましい。
【００３８】
上記の構成によれば、上記ポンプの吐出配管を吸い込み配管よりも小さくして、吐出圧力を確保して、バブルを多量に発生することができる。
【００３９】
本発明に係る水処理装置では、上記ポンプの出力が最大値となった後に、上記気体が第１気体せん断部に供給されるようになっていてもよく、上記ポンプの稼働開始から少なくとも６０秒経過した後に、上記気体が第１気体せん断部に供給されるようになっていてもよい。
【００４０】
上記の構成によれば、上記気体がポンプに導入されたとき、ポンプは最大出力に達しているため、ポンプを気体で損傷（ポンプのキャビテーション発生による損傷）することを抑制することができる。
【００４１】
本発明に係る水処理装置では、上記第１気体せん断部は、内部で上記被処理水が旋回するようになっており、該旋回の中心軸に対して１７度以上１９度以下の入射角で上記気体を供給する気体流入管を備えていることが好ましい。
【００４２】
上記の構成によれば、バブルを効率よく製造することができる。
【００４３】
本発明に係る水処理装置では、上記第１気体せん断部の主要部分が、６ｍｍ以上１２ｍｍ以下の厚さを有していてもよい。
【００４４】
上記の構成によれば、上記第１気体せん断部でのせん断応力効果を確保できる。
【００４５】
本発明に係る水処理装置では、上記ナノバブル発生機が、上記被処理水を通過させ、かつ、通過する該被処理水に紫外線を照射する紫外線反応部をさらに備えており、上記第２気体せん断部と上記第３気体せん断部とが該紫外線反応部を介して接続されていてもよい。
【００４６】
上記の構成によれば、上記ナノバブル発生機が発生するナノバブルの作用に紫外線の持つ殺菌力を追加して、相乗効果を期待することができる。
【００４７】
本発明に係る水処理装置では、上記水中ポンプ型マイクロナノバブル発生機が、該水中ポンプ型マイクロナノバブル発生機に気体を供給する配管と、該配管を通過する気体に紫外線を照射する紫外線反応部とを備えていてもよい。
【００４８】
上記の構成によれば、上記水中ポンプ型マイクロナノバブル発生機が発生するマイクロナノバブルの作用に紫外線の持つ殺菌力を追加して、相乗効果を期待することができる。
【００４９】
本発明に係る水処理装置では、上記処理前測定手段が、少なくとも、上記被処理水の全有機炭素を測定するものであってもよい。
【００５０】
上記の構成によれば、前記液体処理前測定槽と液体処理後測定槽のＴＯＣ濃度の差によって、バブル発生機の運転を制御できる。
【００５１】
本発明に係る水処理装置では、上記処理前測定手段が、少なくとも、上記被処理水の化学的酸素要求量を測定するものであってもよい。
【００５２】
上記の構成によれば、前記液体処理前測定槽と液体処理後測定槽のＣＯＤ濃度の差によって、バブル発生機の運転を制御できる。
【００５３】
本発明に係る水処理装置では、上記処理前測定手段が、少なくとも、上記被処理水のｐＨを測定するものであってもよい。
【００５４】
上記の構成によれば、前記液体処理前測定槽と液体処理後測定槽のｐＨの差によって、バブル発生機の運転を制御できる。
【００５５】
本発明に係る水処理装置では、上記処理前測定手段が、少なくとも、上記被処理水の酸化還元電位を測定するものであってもよい。
【００５６】
上記の構成によれば、前記液体処理前測定槽と液体処理後測定槽の酸化還元電位の差によって、バブル発生機の運転を制御できる。
【００５７】
本発明に係る水処理装置は、ポリビニルアルコール担体をさらに備えており、該ポリビニルアルコール担体は、上記処理水槽内に充填され、該処理水槽内を流動するようになっていてもよい。
【００５８】
上記の構成によれば、上記処理水槽のポリビニルアルコール担体に微生物を固定化して、上記ナノバブルまたはマイクロナノバブルの物理化学的な殺菌作用のみならず、微生物による生物学的な処理をも追加することができる。別の観点から見れば、上記処理水槽を微生物処理における曝気槽や接触酸化槽とすれば、従来の曝気槽や接触酸化槽の機能を、単に生物学的な処理だけでなく、ナノバブルやマイクロバブルによる物理化学的機能を追加して、曝気槽や接触酸化槽の性能を向上させることができる。
【００５９】
本発明に係る水処理装置は、活性炭をさらに備えており、該活性炭は、上記処理水槽内に充填され、該処理水槽内を流動するようになっていてもよい。
【００６０】
上記の構成によれば、上記処理水槽の活性炭に微生物を固定化して、上記ナノバブルまたはマイクロナノバブルの物理化学的な殺菌作用のみならず、微生物による生物学的な処理をも追加することができる。別の観点から見れば、液体処理水槽を微生物処理における曝気槽や接触酸化槽とすれば、従来の曝気槽や接触酸化槽の機能を、単に生物学的な処理だけでなく、ナノバブルやマイクロバブルによる物理化学的機能を追加して、曝気槽や接触酸化槽の性能を向上させることができる。
【００６１】
本発明に係る水処理装置は、上記処理水槽内に充填されている炭酸カルシウム鉱物をさらに備えていてもよい。
【００６２】
上記の構成によれば、炭酸カルシウム鉱物からカルシウムを溶出させて、流入水が酸排水の場合、薬品を使用することなく、中和することができる。すなわち、上記ナノバブルまたはマイクロナノバブルは酸化力が強いので、カルシウムを容易に炭酸カルシウム鉱物から溶出させて、酸排水を中和することができる。この方法は薬品としての苛性ソーダを使用しないので、安全な中和方法とすることができる。
【００６３】
本発明に係る水処理装置は、ポリ塩化ビニリデン充填物と、該ポリ塩化ビニリデン充填物を上記処理水槽内に固定する固定金具とをさらに備えていてもよい。
【００６４】
上記の構成によれば、ポリ塩化ビニリデン充填物に微生物を繁殖させて、微生物処理、すなわち排水処理では接触酸化槽として利用することができる。また、同様に上水処理設備、再利用設備として、利用することができる。
【００６５】
本発明に係る上水の処理方法は、本発明に係る水処理装置を用いることを特徴としている。
【００６６】
上記の構成によれば、上水処理設備における上水中の有機フッ素化合物、環境ホルモン等難分解化学物質を酸化分解して、上水として安全な飲料水を製造することができる。
【００６７】
本発明に係る排水の処理方法は、本発明に係る水処理装置を用いることを特徴としている。
【００６８】
上記の構成によれば、酸化力の強い磁気活水オゾンナノバブルを用いて、排水処理における被処理水中の有機物や難分解性化学物質を効率良く分解することができる。
【００６９】
本発明に係る有機フッ素化合物含有排水の処理方法は、本発明に係る水処理装置を用いることを特徴としている。
【００７０】
上記の構成によれば、酸化力の強い磁気活水オゾンナノバブルを用いて、排水処理における被処理水中の有機フッ素化合物としてのＰＦＯＳやＰＦＯＡを効率良く分解することができる。
【００７１】
本発明に係る再利用水の処理方法は、本発明に係る水処理装置を用いることを特徴としている。
【００７２】
上記の構成によれば、酸化力の強い磁気活水オゾンナノバブルを用いて、工場等における排水処理後の再利用中の微量有機物を効率良く分解し、再利用水の水質を向上させることができる。
【００７３】
本発明に係る浴槽水の処理方法は、本発明に係る水処理装置を用いることを特徴としている。
【００７４】
上記の構成によれば、酸化力の強い磁気活水オゾンナノバブルを用いて、大規模浴場や娯楽施設の浴槽における浴槽水を合理的に処理し、循環使用することができる。そのことは、省資源に繋がると同時に、新規の水使用量の削減が可能となる。
【００７５】
本発明に係る治療用浴槽水の処理方法は、本発明に係る水処理装置を用いることを特徴としている。
【００７６】
上記の構成によれば、酸化力の強い磁気活水オゾンナノバブルを用いて、アトピー性皮膚疾患や床ずれ（高齢老人入院患者の長期入院による床ずれ）等治療用の浴槽に使用することができる。
【００７７】
本発明に係る水産養殖水の処理方法は、本発明に係る水処理装置を用いることを特徴としている。
【００７８】
上記の構成によれば、酸化力の強い磁気活水オゾンナノバブルを用いて、水産養殖水に活用して、歩留まりの向上、養殖水の殺菌、除菌をして、かつ養殖水中のアンモニア性窒素を強力に酸化することができる。
【００７９】
本発明に係る水耕液の処理方法は、本発明に係る水処理装置を用いることを特徴としている。
【００８０】
上記の構成によれば、酸化力の強い磁気活水オゾンナノバブルを用いて、植物の長期養液栽培における養液（水耕液）中に発生するウイルスを殺菌して、養液（水耕液）の長期使用を可能とすることができる。
【００８１】
本発明に係るエステティック用水の処理方法は、本発明に係る水処理装置を用いることを特徴としている。
【００８２】
上記の構成によれば、酸化力の強い磁気活水オゾンナノバブルを用いて、皮膚の洗浄、頭髪の洗浄等、エステ用水に利用することができる。
【００８３】
本発明に係る石油の精製方法は、本発明に係る水処理装置を用いることを特徴としている。
【００８４】
上記の構成によれば、酸化力の強い磁気活水オゾンナノバブルを用いて、石油精製における精製装置に利用することができる。原油中に酸化力の強い磁気活水オゾンナノバブルを含有させれば、原油中の不純物の分解と、原油が気体としてのナノバブルを含有することによる精製効率の改善をすることができる。
【００８５】
本発明に係るガソリンの処理方法は、本発明に係る水処理装置を用いることを特徴としている。
【００８６】
上記の構成によれば、超小型化したバブル発生装置を用いることを前提として、酸化力の強い磁気活水オゾンナノバブルを用いて、自動車エンジンにおけるガソリンの燃焼に利用し、燃焼効率をあげることができる。
【００８７】
本発明に係る床ずれの治療用水の処理方法は、本発明に係る水処理装置を用いることを特徴としている。
【００８８】
上記の構成によれば、酸化力の強い磁気活水オゾンナノバブルを用いて、病院入院患者の床ずれの治療、特に床ずれが発生している部分の血流量の増加、殺菌をして治療することができる。
【００８９】
本発明に係るアトピー疾患の治療用水の処理方法は、本発明に係る水処理装置を用いることを特徴としている。
【００９０】
上記の構成によれば、酸化力の強い磁気活水オゾンナノバブルを用いて、アトピー疾患の治療、特にアトピー疾患が発生している部分の血流量の増加、殺菌をして治療することができる。
【００９１】
本発明に係る水処理方法は、複数のバブル発生機を備えた処理水槽に被処理水を貯める工程と、該処理水槽に流入する該被処理水の水質を測定する処理前測定工程と、該処理水槽から流出する該被処理水の水質を測定する処理後測定工程と、該処理前測定工程において測定した該水質、および該処理後測定工程において測定した該水質に基づいて、該複数のバブル発生機から動作すべきバブル発生機を選択する選択工程と、該選択工程において選択された該バブル発生機を用いて、該処理水槽内の該被処理水中にナノバブルまたはマイクロナノバブルを発生させるバブル発生工程とを包含しており、該バブル発生工程では、任意の該バブル発生機が発生させるバブルのサイズが、他の該バブル発生機の少なくとも１つが発生させるバブルのサイズと異なることを特徴としている。
【００９２】
上記の構成によれば、本発明に係る水処理装置と同様の効果を奏することができる。
【発明の効果】
【００９３】
本発明に係る水処理装置は、複数のバブル発生機を備え、それらが、必要とされる酸化力に応じて制御されるため、エネルギー消費量を抑えることができる。
【発明を実施するための最良の形態】
【００９４】
一般に、工場排水の様に液体中の水質は変動することが一般的であるが、その水質変動に合わせて酸化力を高めたり、弱めたりすることが可能なバブル発生方法およびバブル発生装置が存在していない。水中ポンプ型マイクロナノバブル発生機、マイクロナノバブル発生機、ナノバブル発生機は存在するが、液体中の水質変動に合わせた運転がされていないので、省エネ運転ができていない。
【００９５】
また、オゾン処理の欠点であるオゾンガスが空気中に飛んで、オゾンの酸化力を長期に維持できない課題がある。また、紫外線処理のみでは、紫外線ランプの電力を多量に消費するのみで、酸化力が弱い。
【００９６】
また、難分解性の有機フッ素化合物（ＰＦＯＳ、ＰＦＯＡ等）を含有する被処理水が存在するが、それらは一般に、難分解性の有機フッ素化合物以外の有機物を含有している場合が多く、活性炭は、各種有機物を全て吸着する性質により、破過までの時間が短く、頻繁に取り替える必要があり、ランニングコストが高い。
より詳細に説明すると、一般的知見であるが、有機フッ素化合物における化学構造式である炭素とフッ素の結合は、安定しているが故、強酸の中でも分解しない。それ故、環境中に放出されて、世界中をめぐり、はてには、世界中のあらゆる生物に濃縮してきた。例えば、１例として北極熊、アザラシ、鯨からも検出されて、国際的環境汚染として、問題となっている。
【００９７】
しかし、安定的な化学物質であるため、微生物による分解が困難であるから、含有している排水などの液体を１０００℃以上で焼却するしか処理方法は存在していない。
焼却方法は、唯一の処分方法であるが、液体量が多い場合には、燃料も多く使用し、二酸化炭素の増加による地球温暖化の問題もあり、合理的処理方法ではない。
【００９８】
また、水道水、地下水等に微量に含有されている有機フッ素化合物の合理的かつ経済的な処理方法が必要で、合理的かつ経済的対策としての処理方法が存在しない。
【００９９】
また、水道水、地下水等の有機フッ素化合物処理方法として、急速ろ過、活性炭吸着の水処理方法も存在するが、有機フッ素化合物の分解は、全く期待できない。
【０１００】
また、通常の急速ろ過、活性炭吸着の水処理方法は、吸着後の活性炭の取替えが必要で、その作業の手間と再生のためのランニングコストが増加する。
【０１０１】
また、磁気活水性とは、磁力によるフリーラジカルの発生による酸化作用であり、またナノバブルもフリーラジカルによる酸化作用を期待できることより、磁気活水ナノバブルは、それらの相乗効果が発揮できる。よって、液体を強力に酸化処理できる。
【０１０２】
紫外線も酸化作用を示し、紫外線ランプにより照射されることによって、効果を示す。紫外線は、３００ｎｍ以下の短波長の領域の紫外線が酸化力において有効である。
【０１０３】
本発明の一実施形態に係る水処理装置１００の概略構成を図１に示す。図１に示すように、水処理装置１００は、液体処理水槽（処理水槽）１、流体処理前測定槽（処理前測定手段）７２、流体処理後測定槽（処理後測定手段）５７、ナノバブル発生機４７、マイクロナノバブル発生機７８、および水中型マイクロナノバブル発生機５２を備えている。
【０１０４】
なお、本明細書において、マイクロバブルとは、直径が５０ミクロン（μｍ）以下の微細気泡が意図される。マイクロバブルは、通常、水中で縮小していき、ついには消滅（完全溶解）してしまう。また、ナノバブルは、マイクロバブルよりさらに小さいバブル（直径が１ミクロン以下の１００〜２００ｎｍ）が意図される。ナノバブルは、通常、いつまでも水の中に存在することが可能である。マイクロナノバブルとは、マイクロバブルとナノバブルとが混合したバブルが意図される。
【０１０５】
水処理装置１００は、流体処理前測定槽７２および流体処理後測定槽５７においてそれぞれの水質を測定して、これに基づいて、必要とされる酸化力を決定し、ナノバブル発生機４７、マイクロナノバブル発生機７８、および水中型マイクロナノバブル発生機５２のそれぞれを稼働または停止させるようになっている。
【０１０６】
流体処理前測定槽７２および流体処理後測定槽５７における水質の測定は、それぞれの測定槽が、例えば、全有機炭素（ＴＯＣ）、化学的酸素要求量（ＣＯＤ）、ｐＨ、または酸化還元電位を測定するための測定器を備えることによって行うことができる。
【０１０７】
必要とされる酸化力は、例えば、流体処理前測定槽７２において測定された水質と、流体処理後測定槽５７において測定された水質との差に基づいて決定することができる。すなわち、処理前後における水質の差が小さいときは、浄化困難な被処理水であると決定して、強力な酸化力が必要と判断し、該差が大きいときは、浄化容易な被処理水であると判断して、必要とされる酸化力は弱いものであると決定することができる。
【０１０８】
ナノバブル発生機４７、マイクロナノバブル発生機７８、および水中型マイクロナノバブル発生機５２は、それぞれ発生させるバブルのサイズが異なり、酸化力は、バブルのサイズに関係して、小さい程酸化力を示すため、被処理水中の酸化力は、ナノバブル発生機４７によるナノバブルが最も強く、続いてマイクロナノバブル発生機７８、最後に水中ポンプ型マイクロナノバブル発生機５２となる。
【０１０９】
そして、必要とされる酸化力に応じて、各バブル発生装置を、例えば、下記表１のように稼働または停止させることができる。このように、より強力な酸化力が必要である場合には、よりサイズが小さいバブルを発生するバブル発生機を稼働させるようにすればよく、さらに、より多くのバブル発生機を稼働させ、結果的により強力な酸化力を得られるようにすればよい。なお、表１では、「○」が稼働すべきバブル発生機として選択されたことを示す。
【０１１０】
【表１】
0005128357.tif 000002
【０１１１】
以上の制御は、例えば、水処理装置１００が図示しない制御部（シーケンサー等）を備えており、該制御部が、上記測定器、および各バブル発生機に信号線等によって接続されていることによって行うことができる。
【０１１２】
上記ナノバブル発生機４７、マイクロナノバブル発生機７８、および水中型マイクロナノバブル発生機５２には、紫外線反応部および磁力活水部を適宜組合わせることができ、これにより、発生するバブルの酸化力を相乗効果により高めることができる。また、上記バブルを発生させるための気体として、オゾン発生機６４が生成したオゾンを用いることによって、さらに酸化力の強いバブルを発生させることができる。
【０１１３】
本発明に係る水処理装置は、被処理水中に含まれる有機フッ素化合物、環境ホルモン等難分解化学物質を効果的に酸化分解し得るため、上水処理、排水処理、再利用水等の処理に好適に用いることができる。
【０１１４】
本発明に係る水処理装置はまた、該装置によって処理された被処理水が高い殺菌力および洗浄力を有するだけでなく、血流量を増加させ、インスリン様成長因子も増加させるため、浴槽水、治療用浴槽水、病院入院患者の床ずれ、またはアトピー疾患の治療のための用水、エステティック用水等の処理に好適に用いることができる。
【０１１５】
本発明に係る水処理装置はさらに、該装置によって処理された被処理水が高い殺菌力を有するため、水産養殖水、水耕液等の処理に好適に用いることができる。
【０１１６】
本発明に係る水処理装置はまた、石油の精製およびガソリンの処理に好適に用いることができる。これは、原油中に酸化力の強い磁気活水オゾンナノバブルを含有させれば、原油中の不純物の分解と、原油が気体としてのナノバブルを含有することによる精製効率の改善をすることができる上に、空気を石油またはガソリンに混合させることにより、燃焼効率を改善することができる。
【０１１７】
以下、本発明をさらに詳細に説明するために、図２〜１６を用いて、第１〜第１５の実施形態について説明する。
【０１１８】
〔第１の実施形態〕
図２に、本発明の第１の実施形態に係る水処理装置１０１の概略構成を示す。水処理装置１０１は、液体処理水槽１を備えている。液体処理水槽１には、バブル発生装置（バブル発生手段）１７が発生させる磁気活水オゾンナノバブル、紫外線オゾンマイクロナノバブルおよびオゾンマイクロナノバブルが吐出されている。磁気活水オゾンナノバブルは、気液混合循環ポンプ３を主としたナノバブル発生機４７に、吐出側磁気活水器本体９とオゾン発生機６４より発生するオゾンを活用して作製される。また、紫外線オゾンマイクロナノバブルは、循環ポンプ６５、紫外線反応塔６６、およびオゾン発生機６４を組み合わせることにより作製される。また、オゾンマイクロナノバブルは、水中ポンプ型マイクロナノバブル発生機５２とオゾン発生機６４を組み合わせることにより作製される。
【０１１９】
水処理装置１０１はまた、液体処理水槽１を中心として、液体処理前測定槽７２、液体処理後測定槽５７、吐出側磁気活水器本体９、オゾン発生機６４、紫外線反応塔６６とそれらに付属する機器および連結する配管から構成されている。
【０１２０】
最初に、被処理水としての流入水が、配管８４より、ＴＯＣ(全有機炭素)検出部５９が設置された流体処理前測定槽７２に流入する。そして、ＴＯＣ検出部５９によりＴＯＣが測定された後、上記被処理水は、液体処理水槽１に流入する。そして、液体処理水槽１で、磁気活水オゾンナノバブルや紫外線オゾンマイクロナノバブルおよびオゾンマイクロナノバブルにより、処理されて、最終的に、ＴＯＣ(全有機炭素)検出部５９が設置された流体処理後測定槽５７に流出する。そして、ＴＯＣ検出部５９によりＴＯＣが測定された後、配管６３から、処理済のバブル含有水として流出する。
【０１２１】
液体処理前測定槽７２および液体処理後測定槽５７は、被処理水のＴＯＣ濃度を測定する水槽である。液体処理水槽１では、上述したように、液体処理前測定槽７２および液体処理後測定槽５７のＴＯＣ濃度に基づいて、３種類のバブル発生機の運転をＴＯＣ調節計６１およびシーケンサー３２と連携して、合理的に運転制御している。その結果、効率的な運転ができると同時に、省エネが達成できる。なお、液体処理後測定槽５７の水質が、目的としている水質とならない場合は、電動バルブを閉じて、バブル含有水とはしない。その場合被処理水を戻して、（配管等図示せず）再度バブル発生装置１７で再処理する。
【０１２２】
被処理水としては、上水、排水、浴槽水、および再利用水などの水の他、各種薬品、有機溶剤、重油、バイオエタノールなど全ての液体を適用することができる。
【０１２３】
液体処理水槽１の外部には、気液混合循環ポンプ３、吐出側磁気活水器本体９等から構成されている磁気活水オゾンナノバブル発生機４７、さらには紫外線反応塔６６、循環ポンプ６５などから構成されている紫外線オゾンマイクロナノバブル発生機７８が設置されている。
【０１２４】
また、液体処理水槽１の内部には、水中ポンプ型マイクロナノバブル発生機５２が設置されている。水中ポンプ型マイクロナノバブル発生機５２は、オゾン発生機６４からのオゾンガスを気体として利用し、オゾンマイクロナノバブルを吐出し、マイクロナノバブル流５３を形成している。
【０１２５】
また、液体処理水槽１から液体処理後測定槽５７に被処理水が移動する際に、液体処理水槽１内のサイズの大きいバブルを液体処理後測定槽５７に持ち込まない様にするために、気体除去口５６を、液体処理水槽１の内部に設置して、気体を除去して、水配管５１を経由して、被処理水を液体処理後測定槽５７に導入している。被処理水中に、気体としてのサイズの大きいバブルが存在すると、ＴＯＣ濃度の正確な測定に支障がでるからである。
【０１２６】
また、液体処理後測定槽５７には、気体としてのバブルを確実に除去する為に、気体分離板５８も設置してある。
【０１２７】
マイクロバブル発生機７８は、循環ポンプ６５、紫外線反応塔６６、気体せん断部７３から構成され、オゾン発生機６４からのオゾンガスを気体として利用し、オゾンマイクロナノバブルを吐出し、マイクロナノバブル流５３を形成している。
【０１２８】
ナノバブル発生機４７は、気液混合循環ポンプ３、第１気体せん断部４、第２気体せん断部５、フランジ３３とフランジ３５が付属している吐出口径交換ユニット３４、吐出側磁気活水器本体９、第３気体せん断部１４、気体としてのオゾンを導入する為の電動ニードルバルブ８から構成され、オゾン発生機６４からのオゾンガスを気体として利用し、磁気活水オゾンナノバブルを吐出し、ナノ磁力バブル流１５を形成している。
【０１２９】
ナノバブル発生機４７は、第１気体せん断部４を有する気液混合循環ポンプ３、第２気体せん断部５、フランジ３３とフランジ３５が付属している吐出側口径交換ユニット３４、吐出側磁気活水器本体９、第３気体せん断部１４、気体としてのオゾンを導入する為の電動ニードルバルブ８から構成され、オゾン発生機６４からのオゾンガスを気体として利用し、磁気活水オゾンナノバブルを吐出し、磁力ナノバブル流１５を形成している。
【０１３０】
磁気活水ナノバブル発生機４７は、大きくは、ナノバブル発生機４７、吐出側口径交換ユニット３４、吐出側磁気活水器本体９から構成されている。ナノバブル発生機４７は、第１気体せん断部４（マイクロバブルを作製）を有する気液混合循環ポンプ３、第２気体せん断部５、第３気体せん断部１４、オゾンを導入する為の電動ニードルバルブ８から構成されている。吐出口径交換ユニットには、フランジ３３とフランジ３５が付属している。吐出側磁気活水器本体９は、フランジ６とフランジ１２の間に設置された吐出側磁気活水器本体９であり、その内部に厚み３０ｍｍ以下の液体通過部２６が、厚み３０ｍｍ以下の平板状に形成されている。また、平板を挟んでＳ極磁石１０とＮ極磁石１６が、３つづつ設置され、Ｓ極磁石１０とＮ極磁石１６の間に磁力線１１が放出される。
【０１３１】
ここで、吐出側磁気活水器本体９に導入される液体の流速によって効果に差がある。すなわち、磁場を形成する磁石に対して、２ｍ／秒以上の流速で液体を通過させたときに、磁石からの磁力線の影響を最も受ける。２ｍ／秒の流速を全ての液体において確保するために、吐出口径交換ユニットが設置されている。これにより、如何なる比重の異なる液体に対しても、各種吐出口径交換ユニットの中から最適なユニット（吐出口径サイズが最適なユニット）を選定して設置し、配管流速を目的とする流速にする。また、吐出口径交換ユニットを設置することによって、流れが乱流ではなく、相流となり、磁力線が均等に作用する。吐出口径交換ユニットは、例えば、ステンレスで製作することができる。
【０１３２】
そして、第１気体せん断部４を有する気液混合循環ポンプ３が運転されることにより、被処理水は、第１気体せん断部４に導入されて、気体がせん断されマイクロバブルが製造される。第１気体せん断部４には、空気が電動ニードルバルブ８が開の条件で導入されるが、これは、気液混合循環ポンプ３が運転された後６０秒後威光であることが好ましい。６０秒後が好ましい理由は、最初から電動ニードルバルブ８が開の条件で空気が導入されると、気液混合循環ポンプ３がキャビテーション現象を起こして、気液混合循環ポンプ３が損傷するためである。したがって、空気の導入は、液体で気液混合循環ポンプ３内を充満させた後が好ましく、例えば、６０秒経過後とすることができる。
【０１３３】
そして、気液混合循環ポンプ３を出た液体は、第２気体せん断部５に導入されて、気体がせん断、すなわち、マイクロバブルがせん断されて一部ナノバブルが製造される。
【０１３４】
次に、ナノバブル発生機４７のメカニズムを詳細に説明する。
【０１３５】
ナノバブル発生機４７は、気液混合循環ポンプ３、第１気体せん断部４、第２気体せん断部５、第３気体せん断部１４、電動ニードルバルブ８とそれらを連結する配管から構成されている。
【０１３６】
ナノバブルは、大きくは、第１段階と第２段階を経て、製造される。第１段階では、第１気体せん断部４において、流体力学的に圧力を制御し、負圧形成部分から気体を吸入し、高速流体運動させて、負圧部を形成し、マイクロバブルを発生させる。なお、「負圧形成部分」は、装置出口付近における内外の気液ニ相流体の旋回速度差により発生する。また、「負圧部」とは、気体・液体混合物中で、周りと比較して圧力が小さな領域を意味する。
【０１３７】
以上のように、水と空気を効果的に自給混合溶解し、圧送することにより、マイクロバブル白濁水を製造することが、第１段階である。
【０１３８】
続いて、第２段階では、第２気体せん断部５と第３気体せん断部１４において、高速流体運動させて、負圧部を形成し、有用物質含有マイクロバブルを発生させて、第２気体せん断部５と第３気体せん断部１４に、水配管を通じて導入し、流体運動としてせん断することによって、マイクロバブルからナノバブルを発生させることになる。すなわち、第１気体せん断部４を有する気液混合循環ポンプ３で、発生させたマイクロバブルを、第２気体せん断部５と第３気体せん断部１４に水配管を通じて圧送する際、第２気体せん断部５と第３気体せん断部１４においては、第１段階後さらに、配管サイズを細くして、かつ高速流体運動させて、竜巻状に細くして、より高速で旋回する回転せん断流を発生させる。
【０１３９】
以下、上記第１段階について詳細に説明する。
【０１４０】
ナノバブル発生機４７に使用している気液混合循環ポンプ３は、揚程４０ｍ以上（すなわち、４ｋｇ／ｃｍ２の高圧）の高揚程のポンプである。すなわち、第１気体せん断部４を有する気液混合循環ポンプ３は、かならず、高揚程のポンプであり、かつトルクが安定している２ポールを選定することが好ましい。また、気液混合循環ポンプ３は圧力の制御が必要で、この高揚程のポンプの回転数を回転数制御器（インバーター）で目的にあった圧力としている。これにより、目的にあった圧力で、バブルサイズが纏まったマイクロバブルを製造することができる。
【０１４１】
次に、第１気体せん断部４を有する気液混合循環ポンプ３のマイクロバブル発生のメカニズムを記載する。第１気体せん断部４において、マイクロバブルを発生させるために、液体および気体の混相旋回流を発生させ、第１気体せん断部４中心部に高速旋回させる気体空洞部を形成させる。次に、この空洞部を圧力で竜巻状に細くして、より高速で旋回する回転せん断流を発生させる。この空洞部に気体としてのオゾン（空気、炭酸ガス、窒素ガス、酸素ガス等であってもよい）を、マイナス圧（負圧）を利用して、気体流入管から自動的に供給させる。さらに、切断粉砕しながら混相流を回転する。この切断・粉砕は、装置出口付近における内外の気液ニ相流体の旋回速度差により起きる。その時の回転速度は、５００〜６００回転／秒である。すなわち、第１気体せん断部４において、流体力学的に圧力を制御することで、負圧形成部分から気体を吸入し、高揚程ポンプで高速流体運動させて、負圧部を形成し、有用物質含有マイクロバブルを発生させる。
【０１４２】
なお、上記気体流入管は、上記気体が、上記被処理水の旋回の中心軸に対して、１７度〜１９度、特に好ましくは１８度の入射角で供給されるように設けられていることが好ましい。上記中心軸に対して、気体が上記の範囲の入射角で供給されることにより、マイクロバブルを効率よく製造することができる。
【０１４３】
また、供給される気体は、０．６リットル／分以上１．２リットル／分以下であることが好ましい。表２に、供給される気体の量を変化させたときの、発生するバブルのサイズを示す。表２に示すように、１．２リットル／分以上とすると、磁気活水オゾンナノバブルの割合が減って、磁気活水オゾンマイクロバブルの割合が増加するおそれがある。
【０１４４】
【表２】
0005128357.tif 000003
【０１４５】
なお、気体の供給量は、電動ニードルバルブ８によって調節することができる。
【０１４６】
気液混合循環ポンプ３の運転は、シーケンサー（表示せず）の信号により設定している。第１気体せん断部４の内部形状は、楕円形であり、最大の効果の形状は、真円形であり、更に内部摩擦を小さくする為に鏡面仕上げとしている。
【０１４７】
また、第１気体せん断部４の内部に流体の旋回乱流を制御する為に溝深さ０．３ｍｍ〜０．６ｍｍ、溝幅０．３ｍｍ〜０．８ｍｍの溝を設けている。
【０１４８】
また、第１気体せん断部４を構成する金属の厚みが薄いと、気液混合循環ポンプ３が運転されることにより、振動が発生し、流体運動エネルギーが、振動として外部に伝播して逃げ、そのことが、必要な高速流動運動すなわち、高速旋回とせん断エネルギーを低下させる。第１気体せん断部４を構成する金属の厚みは、６ｍｍ〜１２ｍｍの範囲が好ましい。マイクロバブル発生部の材料厚みが６ｍｍ以下の場合は、高圧、高速エネルギーが、振動波エネルギーとして、大気中に逃げて、エネルギーロスが発生して、せん断応力効果を減少させて、マイクロバブルの製造に支障をきたすおそれがある。すなわち、第１気体せん断部４の主要部分が、６ｍｍ以上１２ｍｍ以下の厚さを有していることが好ましい。なお、「主要部分」とは、重量において５０％以上を占める部分が意図される。
【０１４９】
次に、第２段階について詳細に説明する。第１気体せん断部４を有する気液混合循環ポンプ３で、発生させたマイクロバブルを、第２気体せん断部５に水配管を通じて圧送する際、第２気体せん断部５と第３気体せん断部１４においては、第１段階後さらに、配管サイズを細くして、かつ高速流体運動させて、竜巻状に細くして、より高速で旋回する回転せん断流を発生させる。よって、マイクロバブルからナノバブルが発生すると同時に、超高温の極限反応場が形成される。
【０１５０】
第２気体せん断部５と第３気体せん断部１４を構成している理由は、ナノバブル量をより多く発生させる為には、気体せん断部も３段階で構成する方が、１段階で気体せん断部を構成するよりも、ナノバブル量が多量であるからである。超高温の極限反応場が形成されると、局部的に高温高圧状態となり、不安定なフリーラジカルができ、同時に熱を発生する。
【０１５１】
第２気体せん断部５と第３気体せん断部１４はステンレス製が一般である、その形状は、楕円形好ましくは、真円形である。また、第２気体せん断部５と第２気体せん断部１４には、小孔が開いているが、その吐出口径は、４ｍｍ〜９ｍｍが最適である。
【０１５２】
なお、ナノバブル発生機４７を構成している気液混合循環ポンプ３、第１気体せん断部４、第２気体せん断部５と第３気体せん断部１４のセットは、市販されているものを用いてもよく、メーカーを限定するものではないが、例えば、株式会社  協和機設の商品（商品名  バビダスＨＹＫ型）を用いることができる。
【０１５３】
そして、つきにマイクロバブル、ナノバブルを含有した液体は、フランジ３３とフランジ３５に挟まれて設置されている吐出側口径交換ユニット３４に導入されて、液体の流速と流れ（相流または乱流）が制御されて相流の状態で、吐出側磁気活水器本体９に導入される。
【０１５４】
吐出側口径交換ユニット３４は、吐出側磁気活水器本体９に液体を相流の状態で、導入し、吐出側磁気活水器本体９の磁力線を均等に照射させる為の前準備機器である。吐出側磁気活水器本体９のフランジ６の口径に合わせて、フランジ３５、およびフランジ３３が決定される。吐出側口径交換ユニット３４は、例えば、ステンレス製のものとすることができる。また、吐出口径交換ユニット３４の長さは、例えば、フランジ６の直径の１０倍以上とすればよい。
【０１５５】
そして、吐出側口径交換ユニット３４を出た、被処理水は、吐出側磁気活水器本体９に導入される。吐出側磁気活水器本体９は、フランジ６とフランジ１２の間に設置された吐出側磁気活水器本体９であり、その内部に厚み３０ｍｍ以下の液体通過部２６が、厚み３０ｍｍ以下の平板状に形成されている。また、平板を挟んでＳ極磁石１０とＮ極磁石１６が、３つづつ設置され、Ｓ極磁石１０とＮ極磁石１６の間に磁力線１１が、放射されている。この磁力線の中を液体が流れると、微弱な電流が発生する。微弱電流の作用で、水分子同士の結合が崩れ、クラスター（分子のかたまり）が細分化する。そして同時に微弱電流の作用により、液体中の成分がナノバブルと同様にラジカルが発生して、酸化処理されることになる。
【０１５６】
クラスターが細分化された水は、クラスターのすき間に酸素を吸収する作用が高まり、外気から大量の酸素を吸収する為、溶存酸素濃度が高まる。
【０１５７】
これらにより、液体が、ナノバブルが有するフリーラジカルによる酸化処理と同様に、磁力線により、活性酸素が生成され、フリーラジカルによる液体の酸化処理される。
【０１５８】
なお、吐出側磁気活水器本体９としては、例えば、株式会社ビー・シー・オーの商品名ＢＫ型を採用することができる。
【０１５９】
吐出側磁気活水器本体９を出た液体は、配管８５を経て、第３気体せん断部１４に導入される。第３気体せん断部１４に導入された液体は、磁気活水ナノバブルとなり、磁力ナノバブル流１５を形成する。以上により、第１の実施の形態では、磁気活水オゾンナノバブル発生機４７により、磁気活水オゾンナノバブル含有液体を製造することができる。
【０１６０】
次に、マイクロナノバブル発生機７８について説明する。マイクロナノバブル発生機７８は、ナノバブル発生機４７より、バブルサイズが大きく、かつほとんどが、マイクロサイズで、一部ナノバブルを吐出する。
【０１６１】
マイクロナノバブル発生機７８は、気体せん断部７３、水配管１３、循環ポンプ６５、吸込水配管７９、オゾンガス配管５４、および電動ニードルバルブ７９から構成されている。マイクロナノバブル発生機７８は、多量のマイクロナノバブルと極少量のナノバブルを発生している。すなわち、水槽内部には、気体せん断部７３が、また水槽外部に循環ポンプ６５、オゾンを取り入れてオゾン量を正確に調整可能な電動ニードルバルブ６０とそれらを連結する配管が設置されている。符号７９は循環ポンプ６５に水を吸込む為の吸込配管７９であり、符号１３は、吐出する水配管であり、符号５４は、オゾン導入の為のオゾンガス配管である。循環ポンプ６５によって、吐出圧力を高められた水は、オゾンと共に気体せん断部１４に導入されて、気体と液体が高速で旋回することにより、マイクロナノバブルを発生する。マイクロナノバブル発生機７８としては、例えば、ナノプラネット研究所の製品（Ｍ２−ＬＭ型）を採用することができる。
【０１６２】
また、循環ポンプ６５の吐出側配管には、紫外線ランプ６７を有する紫外線反応塔６６を設置して、被処理水を紫外線により処理している。本発明者らは、オゾンマイクロナノバブルと紫外線オゾンマイクロナノバブルを比較した場合、紫外線オゾンマイクロナノバブルの方が、酸化還元電位において、オゾンマイクロナノバブルよりも約１．４倍高いことを実験により見出している。ナノバブルまたはマイクロナノバブルは、磁気活水器、オゾン、紫外線との組み合わせにより、相乗効果が得られる。よって、マイクロナノバブルも紫外線・オゾンマイクロナノバブルとして、酸化作用の強いシステムとしている。
【０１６３】
また、オゾンをナノバブル化すれば、通常オゾン濃度が４ｐｐｍが限界であることに対し、８ｐｐｍ程度まで上昇でき、少ないオゾン量で酸化力を増加させることができる。また、通常のオゾンは、短時間で空気中に飛散するが、磁気活水オゾンナノバブルとすれば、２ケ月以上被処理水中に持続させることもできる。
【０１６４】
次に、水中ポンプ型マイクロナノバブル発生機５２について、説明する。水中ポンプ型マイクロナノバブル発生機５２のバブルのサイズは、他のナノバブル発生機４７やマイクロバブル発生機７８と比較して、最も大きく、大部分がマイクロバブルで、少しだけナノバブルが存在している。
【０１６５】
水中ポンプ型マイクロナノバブル発生機５２は、水槽外部に設置してあるオゾン発生機６４からオゾンをオゾンガス配管５４を経て、水中ポンプ型マイクロナノバブル発生機５２にオゾンガスを１〜５リットル／分のレベルで供給し、かつ被処理水と混合しながら水中ポンプ型マイクロナノバブル発生機５２のインペラが高速回転して、オゾンと被処理水の混合物をせん断することによって、オゾンマイクロナノバブルを発生させている。
【０１６６】
オゾン発生機６４、電動ニードルバルブ８０、および水中ポンプ型マイクロナノバブル発生機５２は、シーケンサー３２により、あらかじめ組み込まれたシーケンスにより、運転制御されることになる。
【０１６７】
なお、水中ポンプ型マイクロナノバブル発生機５２は、市販されているものを用いてもよく、メーカーも特に限定されないが、例えば、野村電子工業株式会社のマイクロバブラーＭＢ−１５０を採用することができる。
【０１６８】
どちらにしても、３種類のバブル発生機の運転制御は、被処理水の水質や含有成分によって異なるので、処理実験を実施して決定することになる。しかし、一度処理実験を実施して、運転制御方式を決定しても、時間の経過と共に、水質が変動して対応できなる場合がある。よって、第１実施の形態では、流入水の水質すなわち、流体処理前測定槽７２の水質としてのＴＯＣ、処理後の水質を流体処理後測定槽５７の水質としてのＴＯＣを測定して、そのＴＯＣの差によって、３台のバブル発生機の運転パターンを自動的にシーケンサー３２を活用して、最適な運転パターンを選択している。例えば、３台のバブル発生機の運転パターンの１例として、上述したような、表１に示すパターンがある。
【０１６９】
上記のように、水質としてのＴＯＣにより、必要な酸化力の強さは異なるので、流体処理前測定槽７２の水質としてのＴＯＣ、処理後の水質を流体処理後測定槽５７の水質としてのＴＯＣを測定して、目標を定めた必要な運転パターンが選択されることになる。そして、それらの運転パターンは、合理的な運転方法および運転装置となり、省エネを計ることができる。
【０１７０】
〔第２の実施形態〕
次に本発明の第２の実施形態に係る水処理装置１０２の概略構成を図３に示す。第１の実施形態では、流体処理前測定槽７２および流体処理後測定槽５７において、水質としてＴＯＣを測定していたが、第２の実施形態では、流体処理前測定槽７２および流体処理後測定槽５７において、水質としてＣＯＤ（化学的酸素要求量）を測定している。この点のみが、第１の実施形態と異なっている。第１の実施形態と同じ部分については、同じ符号を付けて、詳細説明を省略する。第１の実施形態と異なる部分のみ、説明する。
【０１７１】
本実施形態では、ＣＯＤ検出部６８を、液体処理前測定槽７２および液体処理後測定槽５７に水質計として設置し、信号線５５によって槽外部のＣＯＤ調節計７０と連動させている。ＣＯＤ調節計７０は、信号線５５によってシーケンサー３２に接続されている。
【０１７２】
流入水中にＣＯＤ（化学的酸素要求量）が存在している場合、液体処理水槽の滞留時間や、バブル密度によっても異なるが、ＣＯＤ（化学的酸素要求量）がナノバブルまたはマイクロナノバブルにより酸化されて、ＣＯＤが低下する。したがって、ＣＯＤ検出部６８およびＣＯＤ調節計７０を用いることにより、ナノバブルまたはマイクロナノバブルの被処理水に対する酸化力を測定することができる。
【０１７３】
シーケンサー３２は、ＣＯＤ調節計７０からの信号に基づいて、第１の実施形態と同様に、バブル発生機１７を制御する。すなわち、第１の実施形態におけるＴＯＣをＣＯＤと読みかえればよい。
【０１７４】
ＣＯＤ検出部６８およびＣＯＤ調節計７０としては、例えば、東亜ディーケーケー株式会社のＣＯＤ自動測定装置ＣＯＤ２０３を用いることができる。
【０１７５】
〔第３の実施形態〕
次に本発明の第３の実施形態に係る水処理装置１０３の概略構成を図４に示す。第１の実施形態では、流体処理前測定槽７２および流体処理後測定槽５７において、水質としてＴＯＣを測定していたが、第３実施形態では、流体処理前測定槽７２および流体処理後測定槽５７において、水質としてｐＨを測定している。この点のみが、第１の実施形態と異なっている。第１の実施形態と同じ部分については、同じ符号を付けて、詳細説明を省略する。第１の実施形態と異なる部分のみ、説明する。
【０１７６】
本実施形態では、ｐＨ検出部６９を、液体処理前測定槽７２および液体処理後測定槽５７に水質計として設置し、信号線５５によって槽外部のｐＨ調節計７１と連動させている。ｐＨ調節計７１は、信号線５５によってシーケンサー３２に接続されている。
【０１７７】
流入水中に窒素成分（Ｎ）やイオウ成分（Ｓ）が存在している場合、窒素成分は、ナノバブルまたはマイクロナノバブルにより酸化されて、硝酸イオンに変化し、イオウ成分は、ナノバブルまたはマイクロナノバブルにより酸化されて、硫酸イオンに変化する。そして、被処理水の硝酸イオンと硫酸イオンの増加により、被処理水のｐＨが変化することになる。したがって、ｐＨ検出部６９およびｐＨ調節計７１を用いることにより、ナノバブルまたはマイクロナノバブルの被処理水に対する酸化力を測定することができる。
【０１７８】
シーケンサー３２は、ｐＨ調節計７１からの信号に基づいて、第１の実施形態と同様に、バブル発生機１７を制御する。すなわち、第１の実施形態におけるＴＯＣをｐＨと読みかえればよい。ｐＨ検出部５９は、価格が安価でしかも取り扱いが容易であるから、バブル発生装置のイニシャルコストおよびメンテナンスコストを低減できる。
【０１７９】
ｐＨ検出部６９およびｐＨ調節計７１としては、例えば、横河電機株式会社の自動校正形ｐＨ８ＳＭ５を用いることができる。
【０１８０】
〔第４の実施形態〕
次に本発明の第４の実施形態に係る水処理装置１０４の概略構成を図５に示す。第４の実施形態では、第３の実施形態における液体処理水槽１内に、炭酸カルシウム鉱物１８が充填された収容かご４８が追加されている。この点のみが、第３の実施形態と異なっている。第３の実施形態と同じ部分については、同じ符号を付けて、詳細説明を省略する。第３の実施形態と異なる部分のみ、説明する。
【０１８１】
第４の実施形態では、被処理水としての液体を、磁気活水オゾンナノバブル発生機４７、紫外線オゾンマイクロナノバブル、およびオゾンマイクロバブルで、強力に酸化処理するとともに、液体処理水槽１内の収容かご４８に充填されている炭酸カルシウム鉱物が該バブルによって、酸化処理されることによって、カルシウムが液体中に溶け出し、液体をｐＨ調整することができる。特に、液体が酸性を示す場合は、液体処理水槽１に、流入水としての被処理水を導入して、炭酸カルシウム鉱物１８を溶解させてカルシウムイオンを溶出させて中和することができる。すなわち、一般的な中和剤であり、炭酸カルシウム鉱物１８を原料として製造される水酸化カルシウムを添加したときと同等の効果を奏することができる。
【０１８２】
液体処理前測定槽７２のｐＨが酸性を示す場合、液体処理後測定槽５７のｐＨをｐＨ６〜ｐＨ８程度の中性域となる様に、３種類のバブル発生機の運転をシーケンサー３２で調整することによって、被処理水を効率的に中和することができる。すなわち、液体処理前測定槽７２におけるｐＨが高い酸性度を示すときに、バブル発生機１７を、発生するナノバブルまたはマイクロナノバブルの酸化力を向上させるように制御することで、上記炭酸カルシウム鉱物１８の溶解を促して、被処理水を効率的に中和することができる。
【０１８３】
バブル発生機１７を、発生するナノバブルまたはマイクロナノバブルの酸化力を向上させるように制御するためには、本実施形態では、例えば、磁気活水オゾンナノバブル発生機４７、紫外線オゾンマイクロナノバブル発生機７８、および水中ポンプ型オゾンマイクロナノバブル発生機５２について、より多くのバブル発生機を稼動させ、かつ、水中ポンプ型オゾンマイクロナノバブル発生機５２よりも、紫外線オゾンマイクロナノバブル発生機７８を、紫外線オゾンマイクロナノバブル発生機７８よりも、磁気活水オゾンナノバブル発生機４７を稼動させるようにすればよい。
【０１８４】
なお、例えば、液体処理水槽１を大規模魚類飼育水槽とした場合、時間の経過とともに、魚類が排泄するアンモニア性窒素が酸化されて、酸性化するため、本実施形態に係る水処理装置１０４を好適に用いることができる。
【０１８５】
〔第５の実施形態〕
次に本発明の第５の実施形態に係る水処理装置１０５の概略構成を図６に示す。第１の実施形態では、流体処理前測定槽７２および流体処理後測定槽５７において、水質としてＴＯＣを測定していたが、第５の実施形態では、流体処理前測定槽７２および流体処理後測定槽５７において、水質として酸化還元電位を測定している。この点のみが、第１の実施形態と異なっている。第１の実施形態と同じ部分については、同じ符号を付けて、詳細説明を省略する。第１の実施形態と異なる部分のみ、説明する。
【０１８６】
本実施形態では、酸化還元電位検出部２９を、水質計として液体処理前測定槽７２および液体処理後測定槽５７に設置して、信号線５５によって槽外部の酸化還元電位調節計３１と連動させている。酸化還元電位調節計３１は、信号線５５によってシーケンサー３２に接続されている。
【０１８７】
そして、シーケンサー３２は、信号線５５により、ナノバブル発生機４７、マイクロナノバブル発生機７８、および水中ポンプ型マイクロナノバブル発生機５２を、流体処理前測定槽７２と流体処理後測定槽５７において測定された酸化還元電位の差に従い、選択的に自動運転され、適正な流体処理後測定槽５７における酸化還元電位を維持する。
【０１８８】
なお、酸化還元電位とは、その物質が他の物質を酸化しやすい状態にあるのか、還元しやすい状態にあるのかを表す指標である。よって、この値がプラスで大きければ、酸化力が強く、マイナスが大きければ、還元力が強いことである。すなわち、目的に応じて、バブル発生装置１７の運転を、液体処理後測定槽５７内に設置された酸化還元電位検出部２９の値により、または、酸化還元電位検出部２９の信号により、自動的に目的の酸化還元電位となる様に自動運転できる水処理装置１０５となる。
【０１８９】
〔第６の実施形態〕
次に本発明の第６の実施形態に係る水処理装置１０６の概略構成を図７に示す。図７に示す第６の実施形態は、液体処理水槽１にて処理後の液体処理後測定槽５７を出たバブル含有水が上水処理設備３９に導入されている点のみが、第１の実施の形態と異なっている。第１の実施形態と同じ部分については、同じ符号を付けて、詳細説明を省略する。第１の実施形態と異なる部分のみ、説明する。
【０１９０】
第６の実施形態では、液体処理後測定槽５７を出たバブル含有水が上水処理設備３９に導入されている。また、液体処理前測定槽７２に流入する流入水としては、上水としての水道水に成り得る、例えば、河川水、地下水、湖沼等からの水が挙げられる。
【０１９１】
そして、それらの流入水は、ナノバブル発生装置１７により、磁気活水オゾンナノバブル、紫外線オゾンマイクロナノバブルおよびオゾンマイクロナノバブルを含有した流入水が、上水処理設備３９に導入される。
【０１９２】
近年、水道水中の微量有機フッ素化合物が問題になっているが、水道水中の有機フッ素化合物を処理する方法として、本実施形態に係る水処理装置１０６を活用することもできる。すなわち、各種バブルをバブル発生装置１７により、流入水に含有させて、上水処理設備３９の中に活性炭吸着塔（図示せず）を設置すれば、効率的に有機フッ素化合物の処理設備とすることができる。
【０１９３】
また、流入水に各種バブルを含有させて上水処理設備３９に導入して、水道水を製造すれば、人間や動物にとって、活性のある水道水とすることができる。具体的には、ナノバブルについて説明すると、吐出側磁気活水器本体９により、磁力で水を活性化させ、磁気水に変化させ、水分子に磁界の電気エネルギーの刺激を与え、効果的に水の活性化を行う内容である。水が活性化すると活性酸素が増加している。よって、活性酸素を含有した磁気活水オゾンナノバブルを含有した流入水を上水処理設備３９に導入すれば、効果的な水道水を製造することができる。
【０１９４】
〔第７の実施形態〕
次に本発明の第７の実施形態に係る水処理装置１０７の概略構成を図８に示す。図８に示す第７の実施形態は、液体処理水槽１にて処理後の液体処理後測定槽５７を出たバブル含有水が排水処理設備４０に導入されている点のみが、第１の実施の形態と異なっている。第１の実施形態と同じ部分については、同じ符号を付けて、詳細説明を省略する。第１の実施形態と異なる部分のみ、説明する。
【０１９５】
第７の実施形態は、液体処理後測定槽５７を出たバブル含有水が排水処理設備４０に導入されている。また、液体処理前測定槽７２に流入する流入水としては、各種排水が該当する。各種排水としては、化学物質を含有する排水や有機物を含有する排水が該当する。
化学物質含有排水としては、無機フッ素含有排水や、酸、アルカリ排水がある。一方、有機物を含有する排水としては、一般的な生活排水、食品工場排水などがある。
【０１９６】
そして、それらの流入水は、バブル発生装置１７により、磁気活水オゾンナノバブル、紫外線オゾンマイクロナノバブルおよびオゾンマイクロナノバブルを含有した流入水が、排水処理設備４０に導入される。
【０１９７】
磁気活水オゾンナノバブル等を含有した流入水となるので、排水処理設備４０での化学反応や、生物反応の効率が改善されて、処理効率が向上する。
【０１９８】
排水中の化学物質や有機物を処理する方法として、磁気活水オゾンナノバブルを流入水に含有させて、排水処理設備４０に導入すれば、有効な化学物質や有機物の処理設備とすることもできる。
【０１９９】
すなわち、流入水に磁気活水オゾンナノバブルを含有させて排水処理設備４０に導入して、排水処理すれば、処理の効率化が達成できて、ランニングコストの低減と、処理水質の向上を期待できる内容とすることができる。
【０２００】
具体的には、吐出側磁気活水器本体９により、磁力で排水を活性化させ、磁気水に変化させ、水分子に磁界の電気エネルギーの刺激を与え、効果的に水の活性化を行う内容である。そして、更にオゾンをも含有させている。
【０２０１】
液体が活性化すると活性酸素が増加している。よって、活性酸素を含有した磁気活水オゾンナノバブル等を含有した流入水を排水処理設備４０に導入することができる。
【０２０２】
化学反応において、活性酸素は、反応を高めるし、また有機物を処理する生物反応において、活性酸素は、微生物の活性を高めて、生物反応を高める。
【０２０３】
〔第８の実施形態〕
次に本発明の第８の実施形態に係る水処理装置１０８の概略構成を図９に示す。図９に示す第８の実施形態は、液体処理前測定槽７２に有機フッ素化合物含有排水が流入し、かつ、液体処理水槽１にて処理後の液体処理後測定槽５７を出たバブル含有水が有機フッ素化合物含有排水処理設備４１に導入されている点のみが、第１の実施の形態と異なっている。第１の実施形態と同じ部分については、同じ符号を付けて、詳細説明を省略する。第１の実施形態と異なる部分のみ、説明する。
【０２０４】
第８の実施形態は、液体処理前測定槽７２に有機フッ素化合物含有排水が流入し、液体処理後測定槽５７を出たバブル含有水が有機フッ素化合物含有排水処理設備４１に導入されている。また、液体処理前測定槽７２に流入する流入水としては、有機フッ素化合物含有各種排水が該当する。
【０２０５】
有機フッ素化合物含有各種排水としては、半導体工場のレジストや反射防止膜を含有する排水、液晶工場からのフォトレジスト排水、メッキ工場からのメッキ排水、写真工場からの写真排水等が該当する。
【０２０６】
そして、それらの流入水は、バブル発生装置１７により、磁気活水オゾンナノバブル、紫外線オゾンマイクロナノバブルおよびオゾンマイクロナノバブルを含有した流入水が、有機フッ素化合物含有排水処理設備４１に導入される。有機フッ素化合物含有排水処理設備４１としては、活性炭吸着塔、イオン交換樹脂塔、キレート樹脂塔、超臨界分解槽、亜臨界分解槽等から、被処理水量や有機フッ素化合物濃度によって、選定すれば良い。
【０２０７】
磁気活水オゾンナノバブル等を含有した流入水となるので、有機フッ素化合物含有排水処理設備４１での化学反応や、生物反応の効率が改善されて、処理効率が向上する。
【０２０８】
排水中の有機フッ素化合物を処理する方法として、磁気活水オゾンナノバブル等を流入水に含有させて、有機フッ素化合物含有排水処理設備４１に導入すれば、有効な有機フッ素化合物含有排水の処理設備とすることもできる。
【０２０９】
すなわち、流入水に磁気活水オゾンナノバブルを含有させて有機フッ素化合物含有排水処理設備４１に導入して、排水処理すれば、処理の効率化が達成できて、ランニングコストの低減と、処理水質の向上とがを期待することができる。
【０２１０】
特に、磁気活水オゾンナノバブルについては、具体的には、吐出側磁気活水器本体９により、磁力で排水を活性化させ、磁気水に変化させ、水分子に磁界の電気エネルギーの刺激を与え、効果的に水の活性化を行う。そして、更にオゾンをも含有させている。液体が活性化すると活性酸素が増加している。よって、活性酸素を含有した磁気活水オゾンナノバブル等を含有した流入水を、有機フッ素化合物含有排水処理設備４１に導入することができる。化学反応において、活性酸素は、反応を高めるし、また有機物を処理する生物反応において、活性酸素は、微生物の活性を高めて、生物反応を高める。
【０２１１】
〔第９の実施形態〕
次に本発明の第９の実施形態に係る水処理装置１０９の概略構成を図１０に示す。図１０に示す第９の実施形態は、液体処理前測定槽７２に浴槽水が流入し、液体処理水槽１にて処理後の液体処理後測定槽５７を出たバブル含有水が浴槽設備４２に導入されている点のみが、第１の実施の形態と異なっている。第１の実施形態と同じ部分については、同じ符号を付けて、詳細説明を省略する。第１の実施形態と異なる部分のみ、説明する。
【０２１２】
第９の実施形態は、液体処理前測定槽７２に浴槽水が流入し、液体処理後測定槽５７を出たバブル含有水が浴槽設備４２に導入されている。
【０２１３】
液体処理前測定槽７２に流入する浴槽水としては、大規模浴槽が該当する。スーパー銭湯、温泉における大規模浴槽、保養施設、温水プール等の浴槽水が該当する。また、バブル発生装置１７を小型化すれば、一般の家庭における浴槽水、公衆浴場での浴槽水、エステ設備における浴槽水、病院における浴槽水等にも使用することができる。
【０２１４】
そして、それらの浴槽水としての流入水は、バブル発生装置１７によって生成された、磁気活水オゾンナノバブル、紫外線オゾンマイクロナノバブルまたはオゾンマイクロナノバブルを含有した流入水が、浴槽設備４２に導入される。
【０２１５】
浴槽設備４２に導入される流入水が、磁気活水オゾンナノバブル等を含有した流入水となるので、浴槽水自体が、磁気活水オゾンナノバブル等により、オゾン濃度によっては、殺菌まで行われることになる。これにより、浴槽の壁面や配管でのスケール発生、汚れの付着を、磁気活水オゾンナノバブル等により防止することができる。浴槽の壁面や配管でのスケール発生、汚れの付着が減少するので、浴槽や配管のメンテナンスが少なくなり、ランニングコストの低減と、浴槽水質の向上となる。
【０２１６】
磁気活水オゾンナノバブルについては、具体的には、吐出側磁気活水器本体９により、磁力で排水を活性化させ、磁気水に変化させ、水分子に磁界の電気エネルギーの刺激を与え、効果的に水の活性化を行う内容である。そして、更にオゾンをも含有させている。
液体が活性化すると活性酸素が増加している。よって、活性酸素を含有した磁気活水オゾンナノバブル等を含有した浴槽水を浴槽設備４２に導入することができる。
【０２１７】
以上のように、第９実施の形態は、バブル発生装置１７に付属設備としての浴槽設備４２を追加した内容である。また、言い換えれば、浴槽設備４２に付属設備としてのバブル発生装置１７を追加したものでもある。
【０２１８】
〔第１０の実施形態〕
次に本発明の第１０の実施形態に係る水処理装置１１０の概略構成を図１１に示す。図１１に示す第１０の実施形態は、第４の実施形態における液体処理後測定槽５７の処理水がピット４３に導入され、続いて、ピットポンプ４４にて、急速ろ過機４５、さらに活性炭吸着塔４６に導入されて、最終的な処理水となっている。第４の実施形態と同じ部分については、同じ符号を付けて、詳細説明を省略する。第４の実施形態と異なる部分のみ、説明する。
【０２１９】
第１０の実施形態では、液体処理前測定槽７２に流入水が流入している。流入水としては、当然の事として、排水および水道水などの上水がある。排水や、水道水中において、難分解性の有機フッ素系化合物であるパーフルオロオクタスルホン酸（ＰＦＯＳ）、またはパーフルオロオクタン酸（ＰＦＯＡ）などが混入することが、全世界で環境汚染の観点から問題になっている。そのほかにも、ダイオキシン、環境ホルモン、難分解性発癌物資が含有されている場合もある。
【０２２０】
第１０の実施形態は、上述したような不純物、特に、難分解性の有機フッ素化合物含有水の処理に有効なシステムである。すなわち、パーフルオロオクタスルホン酸（ＰＦＯＳ）、またはパーフルオロオクタン酸（ＰＦＯＡ）などを含有した排水および水道水を処理するための水処理装置であり、バブル発生装置１７に付属設備としての急速ろ過機４５、および活性炭吸着塔４６を追加した内容である。
【０２２１】
実験によると、パーフルオロオクタスルホン酸（ＰＦＯＳ）、またはパーフルオロオクタン酸（ＰＦＯＡ）など有機フッ素化合物は、有機フッ素化合物以外の有機物を可能な限り、低減または分解して、その後急速ろ過機４５で被処理水中の浮遊物質を除去し、最終的に活性炭吸着塔４６で吸着処理することで、完全に被処理水中から除去できることが判明している。
【０２２２】
本実施形態において、前記付属設備は、ピット４３、ピットポンプ４４、急速ろ過機４５、活性炭吸着塔４６であり、液体処理水槽１にてナノバブル発生機４７、マイクロナノバブル発生機７８および水中ポンプ型マイクロナノバブル発生機５２により、各種バブルが吐出され、被処理水が酸化処理されると同時に、各種バブルを含有した状態で、ピット４３、ピットポンプ４４、急速ろ過機４５、および活性炭吸着塔４６に導入されて、有機フッ素化合物が処理されている。
【０２２３】
〔第１１の実施形態〕
次に本発明の第１１の実施形態に係る水処理装置１１１の概略構成を図１２に示す。第１の実施形態では、紫外線ランプ６７を有する紫外線反応塔６６が、循環ポンプ６５の出口に設置されていたが、第１１実施の形態では、吐出側磁気活水器本体９の後に紫外線ランプ８７を有する紫外線反応塔８６が、設置されている。すなわち、第１実施形態では、紫外線ランプ６７を有する紫外線反応塔６６がマイクロナノバブル発生機７８に関連する配管系統に設置されていたが、第１１の実施形態では、ナノバブル発生機４７に関連する配管系統に設置されている。この点のみが、第１の実施形態と異なっている。第１の実施形態と同じ部分については、同じ符号を付けて、詳細説明を省略する。第１の実施形態と異なる部分のみ、説明する。
【０２２４】
第１１の実施形態では、ナノバブル発生機４７に関連する配管系統に設置されているので、バブルを紫外線・磁気活水・オゾンナノバブルとして、酸化力を最大に強めたナノバブルとすることができる。作用効果の観点からすれば、ナノバブルも単に、ナノバブルではなく、オゾンナノバブル、または、磁気活水オゾンナノバブル、または、紫外線・磁気活水・オゾンナノバブルの様に組み合わせることによって、作用効果が増大する。
【０２２５】
〔第１２の実施形態〕
次に本発明の第１２の実施形態に係る水処理装置１１２の概略構成を図１３に示す。第１の実施形態では、紫外線ランプ６７を有する紫外線反応塔６６が、循環ポンプ６５の出口に設置されていたが、第１２実施の形態では、オゾン発生機６４と水中ポンプ型マイクロナノバブル発生機５２の間の配管上に設置されている。すなわち、第１実施形態では、紫外線ランプ６７を有する紫外線反応塔６６がマイクロナノバブル発生機７８に関連する配管系統に設置されていたが、第１２の実施形態では、水中ポンプ型マイクロナノバブル発生機５２に関連する気体配管系統、すなわち、オゾンガス配管５４上に紫外線ランプ８９を有する紫外線反応塔８８が設置されている。この点のみが、第１の実施形態と異なっている。第１の実施形態と同じ部分については、同じ符号を付けて、詳細説明を省略する。第１の実施形態と異なる部分のみ、説明する。
【０２２６】
第１２の実施形態では、水中ポンプ型マイクロナノバブル発生機５２に関連する気体配管系統に設置されているので、水中ポンプ型マイクロナノバブル発生機５２でマイクロバブルをオゾンガスを利用して作製する場合、できたバブルは、紫外線・オゾンマイクロナノバブルとなり、単にオゾンマイクロナノバブルよりも紫外線・オゾンマイクロナノバブルの方が酸化力は増大する。
【０２２７】
また、酸化の機構がオゾンによる方法と紫外線による両方である為、２種類の方法による別角度からの酸化方式となり、被処理水に対する相乗効果が期待でき、被処理水の水質や目的によって、選定することができる。
【０２２８】
〔第１３の実施形態〕
次に本発明の第１３の実施形態に係る水処理装置１１３の概略構成を図１４に示す。第１の実施形態では、液体処理水槽１に流動する充填材は充填されていなかったが、第１３実施の形態では、液体処理水槽１内に流動する充填材としてポリビニルアルコール担体７５が充填されている。また、ポリビニルアルコール担体７５が、気液混合循環ポンプ３、循環ポンプ６５、および水中ポンプ型マイクロナノバブル発生機５２に吸い込まれない様に、スクリーン７７が液体処理水槽１の下部の適当な位置に、水平に設置されている。なお、スクリーン７７の設置位置はこれに限定されるものではない。以上の点のみが、第１の実施形態と異なっている。第１の実施形態と同じ部分については、同じ符号を付けて、詳細説明を省略する。第１の実施形態と異なる部分のみ、説明する。
【０２２９】
第１３の実施形態では、液体処理水槽１内に流動する充填材としてポリビニルアルコール担体７５が充填されている。また、第３気体せん断部１４から磁力ナノバブル流１５が吐出され、気体せん断部７３からマイクロナノバブル流５３が吐出されて、液体処理水槽１内を撹拌している。そして、ポリビニルアルコール担体７５は、比重が１．０２５であるが、各種バブルが付着するこによって軽くなり、流動撹拌状態が向上する。すなわち、被処理水との接触効率が向上する。ただし、水槽上部に常時浮上していることはない。
【０２３０】
流入水が、例えば、有機物含有排水の場合、液体処理水槽１を排水処理としての曝気槽として使用し、特に各種バブルを微生物の活性化に利用できる。活性化に利用できる理由としては、排水処理における曝気槽の場合、微生物濃度が高いので、殺菌ではなく、微生物の活性化に活用できる。
【０２３１】
また、流入水が、例えば、工場での再利用水の場合、有機物濃度が低い。この場合、液体処理水槽１を再利用処理設備として使用し、特に各種バブルを、有機物の酸化分解と微生物の殺菌に利用できる。殺菌に利用できる理由としては、再利用処理設備での曝気槽の場合、微生物濃度が低いので、微生物の活性化ではなく、有機物の酸化分解と微生物の殺菌に活用できる。
【０２３２】
〔第１４の実施形態〕
次に本発明の第１４の実施形態に係る水処理装置１１４の概略構成を図１５に示す。第１の実施形態では、液体処理水槽１に流動する充填材は充填されていなかったが、第１４実施の形態では、液体処理水槽１内に流動する充填材として活性炭７６が充填されている。また、活性炭７６が、気液混合循環ポンプ３、循環ポンプ６５、および水中ポンプ型マイクロナノバブル発生機５２に吸い込まれない様に、スクリーン７７が液体処理水槽１の下部の適当な位置に、水平に設置されている。なお、スクリーン７７の設置位置は限定するものではない。以上の点のみが、第１の実施形態と異なっている。第１の実施形態と同じ部分については、同じ符号を付けて、詳細説明を省略する。第１の実施形態と異なる部分のみ、説明する。
【０２３３】
第１４の実施形態では、液体処理水槽１内に流動する充填材として活性炭７６が充填されている。また、活性炭７６は、第３気体せん断部１４から磁力ナノバブル流１５が吐出され、気体せん断部７３からマイクロナノバブル流５３が吐出されて、液体処理水槽１内を撹拌している。
【０２３４】
流入水が、例えば、有機物含有排水の場合、液体処理水槽１を排水処理としての曝気槽として使用し、特に各種バブルを曝気槽における微生物の活性化に利用できる。活性化に利用できる理由としては、排水処理における曝気槽の場合、微生物濃度が高いので、殺菌ではなく、微生物の活性化に活用できる。
【０２３５】
また、流入水が、例えば、工場での再利用水の場合、有機物濃度が低い。
この場合、液体処理水槽１に活性炭７６を充填する。すなわち、再利用処理設備として使用し、特に各種バブルを、有機物の酸化分解に利用できる。また、活性炭７６は、有機物の吸着や脱色に利用して、水質を向上させることができる。
【０２３６】
〔第１５の実施形態〕
次に本発明の第１５の実施形態に係る水処理装置１１５の概略構成を図１６に示す。第１５の実施形態では、第１の実施形態における液体処理水槽１内に、ポリ塩化ビニリデン充填物８３と、ポリ塩化ビニリデン充填物８３を液体処理水槽１内に固定する固定金具８２とが追加されている。この点のみが、第１の実施形態と異なっている。第１の実施形態と同じ部分については、同じ符号を付けて、詳細説明を省略する。第１の実施形態と異なる部分のみ、説明する。
【０２３７】
液体処理水槽１内に配置されたポリ塩化ビニリデン充填物８３には、微生物を繁殖させることができる。したがって、有機物を分解する微生物を繁殖させることによって、例えば、排水処理、上水処理、再利用水処理における接触酸化槽として利用することができる。
【０２３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２３９】
また、本明細書中に記載された学術文献および特許文献の全てが、本明細書中において参考として援用される。
【０２４０】
以下、実施例によって本発明をさらに詳細に説明するが、本発明はこれに限定されない。
【０２４１】
〔実施例〕
図２に示す第１の実施形態に係る水処理装置１０１を作製した。まず、水処理装置１０１における流体処理前測定槽７２の容量を約０．５ｍ３、液体処理水槽１の容量を約６ｍ３、流体処理後測定槽５７の容量を０．５ｍ３として、樹脂を用いて各槽を作製した。
【０２４２】
ナノバブル発生機４７は、気液混合循環ポンプ３として電動機３．７Ｋｗを備えた株式会社協和機設のＨＹＫ型を元に作製した。ナノバブル発生機４７に付属する吐出側磁気活水器本体９としては、全長８００ｍｍ、横幅１６０ｍｍ、縦幅３１０ｍｍの株式会社ビー・シー・オーのＢＫ型を用いた。
【０２４３】
マイクロナノバブル発生機７８としては、ナノプラネット研究所の製品（Ｍ２−ＬＭ型）を元に作製した。マイクロナノバブル発生機７８に付属する紫外線反応塔６６としては、タキエンジニアリング株式会社のＳＵＶ型を用いた。
【０２４４】
水中ポンプ型マイクロナノバブル発生機５２は、野村電子工業株式会社のマイクロバブラーＭＢ−１５０を採用した。
【０２４５】
３種類のバブル発生機に気体としてのオゾンを供給する共通のオゾン発生機６４としては、野村電子工業株式会社のオゾン発生装置ＮＤ−１００を用いた。
【０２４６】
上記の構成により、バブル発生装置１７および水処理装置１０１を作製した。そして、水処理装置１０１が処理すべき被処理水として、半導体工場から排水される現像廃液の微生物処理水を導入した。
【０２４７】
そして、シーケンサー３２を設定して、ナノバブル発生機４７、マイクロナノバブル発生機７８、水中ポンプ型マイクロナノバブル発生機５２を運転させ、処理槽１中のナノバブルを、ベックマンコールター株式会社にて測定したところ、０．１μｍから２０μｍの範囲のナノバブルおよびマイクロナノバブルを多数確認した。また、磁力活性による酸化還元電位を、東亜ディーケーケー株式会社のＯＲＰ計ＨＣ型で測定したところ、プラス８００ｍｖであった。
【０２４８】
また、流体処理前測定槽７２および流体処理後測定槽５７のＴＯＣ濃度を測定したところ、流体処理前測定槽７２のＴＯＣ濃度は６２ｐｐｍであり、流体処理後測定槽５７のＴＯＣ濃度は４３ｐｐｍであった。すなわち、バブル発生装置１７によれば、１９ｐｐｍ（６２−４３）のＴＯＣを酸化分解することができた。なお、シーケンサー３２は、流体処理前測定槽７２と流体処理後測定槽５７との間のＴＯＣ濃度濃度差が２５ｐｐｍ以下のとき、３種類のバブル発生機が運転する様に設定した。
【産業上の利用可能性】
【０２４９】
本発明は、新規水処理方法および水処理装置を提供するため、上水、排水、地下水、難分解性物質含有排水、再利用水、植物栽培の水耕液、各種分野の洗上水、大規模浴槽の浴槽水、蒸留前の重油、蒸留前のバイオエタノール等の、幅広い分野における被処理水を処理するために利用可能である。
【図面の簡単な説明】
【０２５０】
【図１】本発明の一実施形態に係る水処理装置の概略構成を示す模式図である。
【図２】本発明の第１の実施形態に係る水処理装置の概略構成を示す模式図である。
【図３】本発明の第２の実施形態に係る水処理装置の概略構成を示す模式図である。
【図４】本発明の第３の実施形態に係る水処理装置の概略構成を示す模式図である。
【図５】本発明の第４の実施形態に係る水処理装置の概略構成を示す模式図である。
【図６】本発明の第５の実施形態に係る水処理装置の概略構成を示す模式図である。
【図７】本発明の第６の実施形態に係る水処理装置の概略構成を示す模式図である。
【図８】本発明の第７の実施形態に係る水処理装置の概略構成を示す模式図である。
【図９】本発明の第８の実施形態に係る水処理装置の概略構成を示す模式図である。
【図１０】本発明の第９の実施形態に係る水処理装置の概略構成を示す模式図である。
【図１１】本発明の第１０の実施形態に係る水処理装置の概略構成を示す模式図である。
【図１２】本発明の第１１の実施形態に係る水処理装置の概略構成を示す模式図である。
【図１３】本発明の第１２の実施形態に係る水処理装置の概略構成を示す模式図である。
【図１４】本発明の第１３の実施形態に係る水処理装置の概略構成を示す模式図である。
【図１５】本発明の第１４の実施形態に係る水処理装置の概略構成を示す模式図である。
【図１６】本発明の第１５の実施形態に係る水処理装置の概略構成を示す模式図である。
【符号の説明】
【０２５１】
１      液体処理水槽（処理水槽）
３      気液混合循環ポンプ（ポンプ）
４      第１気体せん断部
５      第２気体せん断部
９      吐出側磁気活水器本体（磁気活水部）
１４    第３気体せん断部
１５    磁力ナノバブル流（ナノバブル）
１７    バブル発生装置（バブル発生手段）
１８    炭酸カルシウム鉱物
１９    吸込側磁気活水器（磁気活水部）
３２    シーケンサー
３４    吐出側口径交換ユニット
３９    上水処理設備
４０    排水処理設備
４１    有機フッ素化合物含有排水処理設備
４２    大規模浴槽設備
４６    活性炭吸着塔
４７    ナノバブル発生機
５２    水中ポンプ型マイクロナノバブル発生機
５３    マイクロナノバブル流（マイクロナノバブル）
５７    液体処理後測定槽（処理後測定手段）
６４    オゾン発生機
６５    循環ポンプ（ポンプ）
６６    紫外線反応塔（紫外線反応部）
７２    液体処理前測定槽（処理前測定手段）
７３    気体せん断部
７４    ナノバブル流（ナノバブル）
７５    ポリビニルアルコール担体
７６    活性炭
７８    マイクロナノバブル発生機
８２    支持金具（固定金具）
８３    ポリ塩化ビニリデン
８６、８８        紫外線反応塔（紫外線反応部）
１００〜１１５    水処理装置
【図１】
0005128357.tif 000004
【図２】
0005128357.tif 000005
【図３】
0005128357.tif 000006
【図４】
0005128357.tif 000007
【図５】
0005128357.tif 000008
【図６】
0005128357.tif 000009
【図７】
0005128357.tif 000010
【図８】
0005128357.tif 000011
【図９】
0005128357.tif 000012
【図１０】
0005128357.tif 000013
【図１１】
0005128357.tif 000014
【図１２】
0005128357.tif 000015
【図１３】
0005128357.tif 000016
【図１４】
0005128357.tif 000017
【図１５】
0005128357.tif 000018
【図１６】
0005128357.tif 000019